(57)【要約】【課題】携帯電話機などのような携帯用器具をズボンなどのベルトなどに着脱式に保持する携帯器具用ホルダーに関し、構造が簡易でワンタッチで携帯電話機などをベルトなどに着脱式に保持できる携帯器具用ホルダーを実現する。【解決手段】左右に開閉するカムＣ１・Ｃ２を閉じる方向に付勢する弾圧手段と、前記の弾圧手段の弾力に抗して前記のカムＣ１・Ｃ２を押し開くための操作手段６と、ベルトＢなどに携帯器具用ホルダーＨを支持するための着脱手段８とを有しており、携帯電話機１に固定されている引っ掛け部２ｈが、前記のカムＣ１・Ｃ２を押し開いて圧入されることによって、ロックされる構造となっている。【選択図】　　　　　図１
2004056686.tif 000002
【特許請求の範囲】
【請求項１】
左右に開閉するカムを閉じる方向に付勢する弾圧手段と、
前記の弾圧手段の弾力に抗して前記のカムを押し開くための操作手段と、
ベルトなどに携帯器具用ホルダーを支持するための着脱手段とを有しており、
携帯電話機に固定されている引っ掛け部が、前記のカムを押し開いて圧入されることによって、ロックされる構造となっていること、
を特徴とする携帯器具用ホルダー。
【請求項２】
前記のカムが基盤の正面と背面に貫通しており、
前記基盤の正面側には、カムより外側にガイド板を有しており、
前記基盤の背面側には、前記のカムを付勢する弾圧手段と、前記の操作手段が内蔵されていること、
を特徴とする請求項１に記載の携帯器具用ホルダー。
【請求項３】
前記のカムが、左右対称の一対のカムであり、それぞれのカムを閉じるための弾圧手段を有していること、
を特徴とする請求項１または請求項２に記載の携帯器具用ホルダー。
【請求項４】
前記の基盤にカムや弾圧手段、操作手段を内蔵した状態でカバーする裏蓋の背面に、ベルトなどに着脱するための開閉式の着脱手段を有していること、を特徴とする請求項１、請求項２または請求項３に記載の携帯器具用ホルダー。
【発明の詳細な説明】
【０００１】
【産業上の利用分野】
本発明は、例えば携帯電話機などのような携帯用器具をズボンなどのベルトなどに着脱式に保持する携帯器具用ホルダーに関する。
【０００２】
【従来の技術と発明が解決しようとする課題】
近年の携帯電話機の普及には目ざましいものがあるが、その携帯の仕方については未だに充分に工夫されているとは言えない。例えば、特開２００１−３４６６２０号公報に記載のように携帯電話機をケースに入れて首から吊るす発明が提案されているが、見た目に悪い。
【０００３】特開２００２−１４２８４７号公報に記載のように、従来のストラップに代わる吊り下げ具に遊び具の機能を兼ねさせた発明が提案されているが、携帯の簡便化を実現することはできない。
【０００４】特開２００１−５３８４５号公報に記載のように、伸縮式の紐を介して携帯電話機をベルトなどに取付け携帯する発明も提案されている。しかしながら、常に紐でつながれているので、煩雑である。また、紐で携帯電話機が吊り下げられているので、ブラブラして安定性が悪い。保持具全体の構造も複雑でコスト高となる。
【０００５】本発明の技術的課題は、従来の携帯電話機の携帯手段におけるこのような問題に着目し、構造が簡易でワンタッチで携帯電話機などをベルトなどに着脱式に保持できる携帯器具用ホルダーを実現することにある。本発明は、携帯電話機以外の携帯器具にも有用である。
【０００６】
【課題を解決するための手段】
本発明の技術的課題は次のような手段によって解決される。請求項１は、左右に開閉するカムを閉じる方向に付勢する弾圧手段と、前記の弾圧手段の弾力に抗して前記のカムを押し開くための操作手段と、ベルトなどに携帯器具用ホルダーを支持するための着脱手段とを有しており、携帯電話機に固定されている引っ掛け部が、前記のカムを押し開いて圧入されることによって、ロックされる構造となっていること、を特徴とする携帯器具用ホルダーである。前記のカムは１個でも足りる。
【０００７】このように、本発明の携帯器具用ホルダーは、左右に開閉するカムを閉じる方向に付勢する弾圧手段を有しているので、携帯電話機などの携帯器具に固定されている引っ掛け部が、ワンタッチで前記のカムを押し開いて圧入されることによって、脱落不能にロックされる。また、前記の弾圧手段の弾力に抗して前記のカムを押し開くための操作手段を有しているので、この操作手段をワンタッチ操作することで、前記のカムが開いて、引っ掛け部がカムから開放されて離脱可能となり、携帯器具用ホルダーから取り外すことができる。
【０００８】そして、この携帯器具用ホルダーは、ベルトなどに支持するための着脱手段を有しているので、常時は着脱手段を介してベルトなどに取付けておく。そして、就寝時などのように、携帯器具を携帯する必要がなくなったときは、着脱手段をベルトなどから外して、携帯器具用ホルダーをベルトから分離しておくことができる。
【０００９】請求項２は、請求項１に記載のカムが基盤の正面と背面に貫通しており、前記基盤の正面側には、カムより外側にガイド板を有しており、前記基盤の背面側には、前記のカムを付勢する弾圧手段と前記の操作手段が内蔵されていることを特徴とする携帯器具用ホルダーである。
【００１０】このように、開閉構造のカムが基盤の正面と背面に貫通しており、前記基盤の正面側において、カムより外側にガイド板を設けてあるので、携帯器具側の引っ掛け部を前記のガイド板に沿ってワンタッチでカム間に押し込むことによって、カムを強制的に押し開けて通過し、ロックさせることができる。
【００１１】また、前記基盤の背面側には、前記のカムを付勢する弾圧手段と前記の操作手段が内蔵されているので、正面側に露出しているカムが閉じる方向に弾圧でき、携帯器具を携帯器具用ホルダーから外す場合は、背面側の操作手段のワンタッチ操作によって、背面側において前記カムを押し開いて、携帯器具の引っ掛け部をカムから開放可能とし、取り外すことができる。
【００１２】請求項３は、請求項１または請求項２に記載のカムが、左右対称の一対のカムであり、それぞれのカムを閉じるための弾圧手段を有していることを特徴とする携帯器具用ホルダーである。
【００１３】このように、前記のカムが、左右対称の一対のカムであり、それぞれのカムを閉じるための弾圧手段を有しているので、１個だけのカムでロックしたり、１個だけのカムを押し開いたりする構造に比べて、左右対称に一対のカムを有する構造は、カムの開閉動作が円滑となり、引っ掛け部のロックや離脱開放を円滑に行なえる。
【００１４】請求項４は、請求項１、請求項２または請求項３に記載の基盤にカムや弾圧手段、操作手段を内蔵した状態でカバーする裏蓋の背面に、ベルトに着脱するための開閉式の着脱手段を有していることを特徴とする携帯器具用ホルダーである。この開閉式の着脱手段は、常時閉じる方向にバネ力で付勢されている構造が好ましい。
【００１５】このように、基盤をカバーする裏蓋の背面に、ベルトに着脱するための開閉式の着脱手段を有しているので、着脱手段を開閉することによって、携帯器具用ホルダーをベルトなどに容易に着脱できる。また、基盤をカバーする裏蓋の背面に弾圧手段を有し、ベルトなどに着脱するので、基盤の正面側に携帯器具を着脱することが可能どなる。
【００１６】以上のように、本発明の携帯器具用ホルダーは、携帯電話機などの携帯器具を携帯器具用ホルダーにワンタッチで着脱でき、操作性にすぐれているほか、構造が簡素で安価に実現できる。また、小型に形成できるので、ベルトなどに取付けても、嵩張らず、携帯に適している。
【００１７】
【発明の実施の形態】
次に本発明による携帯器具用ホルダーが実際上どのように具体化されるか実施形態を説明する。図１は本発明による携帯器具用ホルダーの全容を示す斜視図である。この携帯器具用ホルダーに携帯電話機などを着脱するために、携帯電話機本体１の背部に、引っ掛け用のスタッド状体２を固定してある。このスタッド状体２は、先端の大径のヘッド部２ｈと付け根の首部２ｎとからなり、吸盤状の固定盤３を介して、携帯電話機本体１の背面に接着等の手段で取付け固定してある。
【００１８】Ｈは本発明による携帯器具用ホルダーであり、図２（１）にも示すように、本体となる基盤４に対してカム隙間ｇを介して正面に形成された正面板５に、前記スタッド状体２のヘッド部２ｈを引っ掛けるＵ字状の凹部Ｇ１を形成してある。そして、この凹部Ｇ１の上側の左右には、スタッド状体２を凹部Ｇ１にガイドするための傾斜部Ｇ２を形成してある。
【００１９】基盤４と正面板５との間の隙間ｇには、Ｕ字状の凹部Ｇ１の底部より多少上側において、左右に開閉する一対のカムＣ１、Ｃ２が基盤４側から突出している。すなわち、このカムＣ１、Ｃ２は、基盤４に形成された窓孔中に収納保持されている。そして、カムＣ１、Ｃ２を互いに押しつける方向の弾力を発する弾性体が基盤４の前記窓孔中に保持されている。
【００２０】図２（３）にも示すように、基盤４の背面には、前記のカムＣ１、Ｃ２や弾性体Ｓ１、Ｓ２、カム操作部材６などを内蔵し、裏蓋７でカバーしてある。裏蓋７の背面の上部には、開閉板８を支軸９で取付けてあり、裏蓋７と開閉板８との間にベルトＢが挟持される構造になっている。
【００２１】したがって、開閉板８の上端８ａを矢印ａ１方向に押して開閉板８を開き、裏蓋７との間にベルトＢを挿入することによって、この携帯器具用ホルダーＨをベルトＢに常時装着しておくことができる。そして、携帯電話機本体１の背面のスタッド状体２のヘッド部２ｈを前記の左右の傾斜ガイドＧ２・Ｇ２間に押し込むと、ヘッド部２ｈがカム隙間ｇ中において左右のカムＣ１、Ｃ２を押し開けて、カムＣ１、Ｃ２間を通過し、首部２ｎがＵ字状の凹部Ｇ１に達することで、カムＣ１、Ｃ２は元に戻って閉じる。このとき、図１（２）のように、Ｕ字状凹部Ｇ１の上側の正面板縁Ｇ３、Ｇ３が首部２ｎ中に嵌入する。その結果、ヘッド部２ｈがＵ字状の凹部Ｇ１の内側に引っ掛かるので、スタッド状体２を介して、携帯電話機本体１が携帯器具用ホルダーＨに保持される。
【００２２】こうして、携帯電話機本体１が基盤４に保持されている状態において、基盤４から上側に突出している操作部材６を矢印ａ２方向に押し下げると、カムＣ１、Ｃ２が押し開かれるため、携帯電話機本体１を持ち上げると、スタッド状体２の頭部２ｈが容易にカムＣ１、Ｃ２間を通過上昇して離脱できるので、携帯電話機本体１を携帯器具用ホルダーＨから取り外して、通話などに使用できる。
【００２３】次に、各部の詳細を説明する。図２は前記の基盤４の詳細であり、（１）は正面側を示す図、（２）は右側面図、（３）は背面側を示す図である。（３）図に示すように、Ｃ１、Ｃ２は、前記の一対のカムであり、その左右両側に、カムＣ１、Ｃ２を互いに閉じる方向に押しつける圧縮コイルスプリングＳ１、Ｓ２を有している。また、カムＣ１、Ｃ２を押し開くための操作部材６を有している。図３は、基盤４の背面からカムＣ１、Ｃ２、圧縮コイルスプリングＳ１、Ｓ２および操作部材６を除去した状態を示している。
【００２４】すなわち、基盤４には、正面側と背面側間を貫通する窓孔１０を開けてあり、その中に前記のカムＣ１、Ｃ２と圧縮コイルスプリングＳ１、Ｓ２を内蔵してある。したがって、カムＣ１、Ｃ２と圧縮コイルスプリングＳ１、Ｓ２は、基盤４の背面側に一部露出しているが、正面側すなわち図１、図２の正面板５間のカム隙間ｇ中にも一部露出している。
【００２５】図６はカムＣ１、Ｃ２の詳細を示す図で、（１）は平面図、（２）は正面図である。カムＣ１、Ｃ２の互いに隣接する上半分は、傾斜面１１ａと１１ｂによってＶ字状に形成されている。一方、下半分は、正面側のＶ字状傾斜面つきの突起部１２ａ・１２ｂの下部が互いに突き当たっているのに対し、その裏側１３ａ、１３ｂすなわち傾斜面１１ａ・１１ｂ間は切除されていて、操作部材６の下部の上下方向の棒状部６ａを挿入する空間になっている。
【００２６】操作部材６は、図７に示すように、下側６ｙ、６ｙはＹ字状に形成されていて、その中央下部の上下方向の棒状部６ａが、前記のように、カムＣ１、Ｃ２の突起部１２ａ、１２ｂの背面の切除空間１３ａ、１３ｂ中に挿入される。そして、該棒状部６ａの下端６ｂが、図２、図３の窓孔１０の下側に形成されたガイド凹部１４に挿入されている。
【００２７】操作部材６のＹ字状部６ｙから上側は、幅Ｗの状態で上側に延長して、基盤４から上側に突出している。そして、Ｙ字状部６ｙ、６ｙ間に開けられた上下方向の長孔６ｃ中に、基盤４に形成された円筒状部１５が嵌入している。また、基盤４には、幅Ｗの操作部材６の左右両側の側面をガイドするガイド壁１６ａ、１６ｂが形成されている。なお、図７（２）に示すように、操作部材６の上端６ｄを裏蓋７側に延長して、押し下げ操作の際に指の当たる面積を拡大している。
【００２８】基盤４には、前記のガイド凹部１４の下側にも円筒状部１７が形成されている。円筒状部１５、１７の中央のメネジ孔にネジを挿入し螺合させることによって、基盤４に裏蓋７が連結固定される。
【００２９】図２において、図示のように、カムＣ１、Ｃ２の背面の切除空間１３ａ、１３ｂ中に棒状部６ａが位置している状態では、カムＣ１、Ｃ２は互いに接近して、カムＣ１、Ｃ２が閉じている状態である。こうして閉じている状態において、操作部材６を矢印ａ２方向に押し下げると、Ｙ字状部６ｙ、６ｙによって、カムＣ１、Ｃ２のＶ字状の傾斜面１１ａ、１１ｂが下向きに押されるため、カムＣ１、Ｃ２は、圧縮コイルスプリングＳ１、Ｓ２に抗して左右に押し開かれる。したがって、Ｕ字状の凹部Ｇ１に引っ掛かっているスタッド状体２を引き上げて、そのヘッド部２ｈをカムＣ１、Ｃ２から上方に離脱できる。
【００３０】矢印ａ２方向の押し下げ力を解除すると、圧縮コイルスプリングＳ１、Ｓ２によってカムＣ１、Ｃ２が閉じる方向に押されるため、Ｖ字状の傾斜面１１ａ、１１ｂによって、操作部材６のＹ字状部６ｙ、６ｙが押されて、操作部材６が押し上げられ、元の状態に上昇し復帰する。
【００３１】図４は、裏蓋７の詳細を示す図であり、（１）は蓋内面を示す図、（２）は側面図、（３）は蓋外面を示す図である。（１）の裏蓋内面には、外周よりわずか内側に凸条１８を形成してある。前記基盤４の背面において、ガイド壁１６ａ、１６ｂから延長する左右の外周壁１６・１６の内側に、裏蓋７の前記の凸条１８が位置することによって、裏蓋７と基盤４が位置合わせされる。
【００３２】したがって、こうして位置合わせした状態で、裏蓋７の上下の貫通孔１５ｃ、１７ｃからネジを挿入して、基盤４の上下の円筒状部１５、１７のメネジ孔に螺合させることによって、基盤４に裏蓋７を被せて固定しカバーできる。
【００３３】裏蓋７の外側面上端には、支軸９を挿通する軸孔９ｈの開いた軸受け１９ａ、１９ｂを突出形成してあり、両軸受け１９ａ、１９ｂ間に捩じりバネ２２を嵌め込んである。（４）のように、支軸９は、一端にストッパー部９ｓを有し、先端に抜け止め用のＣリング９ｃを嵌める構成になっている。なお、裏蓋７の下端には、開閉板８の下端の突出爪８ｂが嵌入する切り欠き２０が形成されている。
【００３４】図５は、開閉板８の詳細を示す図であり、（１）は裏蓋７側の面を示す図、（２）は側面図、（３）は背面を示す図である。開閉板８から裏蓋７側に突出した軸受け２１・２１間には、前記の支軸９を挿通する軸受け孔９ｈが開けてある。したがって、この軸受け２１・２１間に裏蓋７側の軸受け１９ａ、１９ｂを挿入して重ね、それぞれの軸受け孔９ｈ…に支軸９を挿通して、先端にＣリング９ｃを嵌めると、支軸９が離脱不能となり、開閉板８の上端が裏蓋７の上端に連結軸支される。なお、図４（３）の捩じりバネ２２中にも支軸９が挿通されるのて、開閉板８は常時閉じる方向に弾圧される。
【００３５】以上の各部品は、バネ類以外は、合成樹脂の成型によって製造できる。
【００３６】以上によって、基盤４の背面内にカムＣ１、Ｃ２や圧縮コイルスプリングＳ１、Ｓ２、操作部材６を内蔵した状態で裏蓋７を被せて固定し、裏蓋７の背面に開閉板８を軸支すると携帯器具用ホルダーＨが完成する。この携帯器具用ホルダーは、ベルトなどに取付けて使用するが、図１で説明したように、開閉板８の上端８ａを矢印ａ１方向に押して開閉板８を開き、裏蓋７の下端と開閉板８の下端との間からベルトＢを挿入してから、矢印ａ１方向の押圧力を解除すると、ベルトＢへの取付けが完了し、図９の状態となる。
【００３７】こうしてベルトＢに取付けた状態で、図１の携帯電話機本体１の背面のスタッド状体２のヘッド部２ｈを前記の左右の傾斜ガイドＧ２・Ｇ２間に押し込むと、ヘッド部２ｈがカムＣ１、Ｃ２を押し開けて下降通過し、図１（２）のように、Ｕ字状凹部Ｇ１の上側の正面板縁Ｇ３、Ｇ３が首部２ｎ中に嵌入する。その結果、大径のヘッド部２ｈが、Ｕ字状凹部Ｇ１の内側に引っ掛かってロックされ、保持される。このようにして、携帯電話機１を携帯器具用ホルダーＨに引っ掛けて保持し携帯できる。
【００３８】このようにして携帯している状態において、携帯電話機を携帯器具用ホルダーから外して使用したい場合は、前記のように、操作部材６を押し下げてカムＣ１、Ｃ２を強制的に押し開くと共に、携帯電話機を引き上げると、スタッド状体２のヘッド部２ｈが上昇してカムＣ１、Ｃ２から離脱するため、携帯器具用ホルダーＨから取り外して、自由に通話に使用できる。
【００３９】図２（３）からも明らかなように、カムＣ１、Ｃ２や圧縮コイルスプリングＳ１、Ｓ２は左右対称状態にかつ対になっているが、片方を省いた構成も可能である。ただし、動作の円滑を欠く恐れがある。
【００４０】図８は、スタッド状体２を示す図であり、ヘッド部２ｈと首部２ｎからなるスタッド状体２の首部２ｎの基端が、吸盤状の固定盤３に連結固定されている。したがって、この固定盤３を携帯電話機の背面に取付け固定しておけば、携帯電話機を携帯器具用ホルダーに容易に着脱できる。
【００４１】引っ掛け用のヘッド部２ｈの先端は球面状になっているので、携帯器具が図１の矢印ａ３方向に動いたりしても、ヘッド部２ｈはカム隙間ｇ中で容易に揺動でき、携帯器具に無理な力が作用することは無く、何ら支障はない。
【００４２】また、正面板５のＵ字状の凹部Ｇ１にヘッド部２ｈを引っ掛けた状態で、図１、図９において紙面と直角方向の力が携帯器具１に作用したりしても、携帯器具１が首部２ｎを中心にしてＵ字状凹部Ｇ１中で回動できるので、無理な力が作用することはなく、何ら問題はない。
【００４３】以上の実施形態において、携帯器具用ホルダーを介して携帯電話機をベルトに取付ける例を説明したが、携帯電話機に限らず、ベルトなどに取付け携帯する器具であれば、他の各種の器具の携帯に利用できる。
【００４４】
【発明の効果】
請求項１のように、本発明の携帯器具用ホルダーは、左右に開閉するカムを閉じる方向に付勢する弾圧手段を有しているので、携帯電話機などの携帯器具に固定されている引っ掛け部が、ワンタッチで前記のカムを押し開いて圧入されることによって、脱落不能にロックされる。また、前記の弾圧手段の弾力に抗して前記のカムを押し開くための操作手段を有しているので、この操作手段をワンタッチ操作することで、前記のカムが開いて、引っ掛け部がカムから開放されて離脱可能となり、携帯器具用ホルダーから取り外すことができる。
【００４５】そして、この携帯器具用ホルダーは、ベルトなどに支持するための着脱手段を有しているので、常時は着脱手段を介してベルトなどに取付けておく。そして、就寝時などのように、携帯器具を携帯する必要がなくなったときは、着脱手段をベルトなどから外して、携帯器具用ホルダーをベルトから分離しておくことができる。
【００４６】請求項２のように、開閉構造のカムが基盤の正面と背面に貫通しており、前記基盤の正面側において、カムより外側にガイド板を設けてあるので、携帯器具側の引っ掛け部を前記のガイド板に沿ってワンタッチでカム間に押し込むことによって、カムを強制的に押し開けて通過し、ロックさせることができる。
【００４７】また、前記基盤の背面側には、前記のカムを付勢する弾圧手段と前記の操作手段が内蔵されているので、正面側に露出しているカムが閉じる方向に弾圧でき、携帯器具を携帯器具用ホルダーから外す場合は、背面側の操作手段のワンタッチ操作によって、背面側において前記カムを押し開いて、携帯器具の引っ掛け部をカムから開放可能とし、取り外すことができる。
【００４８】請求項３のように、前記のカムが、左右対称の一対のカムであり、それぞれのカムを閉じるための弾圧手段を有しているので、１個だけのカムでロックしたり、１個だけのカムを押し開いたりする構造に比べて、左右対称に一対のカムを有する構造は、カムの開閉動作が円滑となり、引っ掛け部のロックや離脱開放を円滑に行なえる。
【００４９】請求項４のように、基盤をカバーする裏蓋の背面に、ベルトに着脱するための開閉式の着脱手段を有しているので、着脱手段を開閉することによって、携帯器具用ホルダーをベルトなどに容易に着脱できる。また、基盤をカバーする裏蓋の背面に弾圧手段を有し、ベルトなどに着脱するので、基盤の正面側に携帯器具を着脱することが可能どなる。
【００５０】以上のように、本発明の携帯器具用ホルダーは、携帯電話機などの携帯器具を携帯器具用ホルダーにワンタッチで着脱でき、操作性にすぐれているほか、構造が簡素で安価に実現できる。また、小型に形成できるので、ベルトなどに取付けても、嵩張らず、携帯に適している。
【図面の簡単な説明】
【図１】（１）は本発明による携帯器具用ホルダーの全容を示す斜視図であり、（２）はＵ字状凹部位置における水平断面図である。
【図２】基盤を示す図であり、（１）は正面図、（２）は右側面図、（３）は背面図である。
【図３】基盤の背面からカムや圧縮コイルスプリング、操作部材を除去した状態である。
【図４】裏蓋を示す図であり、（１）は基盤側の面を示す図、（２）は右側面図、（３）は外側を示す図、（４）は支軸を示す図である。
【図５】開閉板を示す図であり、（１）は裏蓋側の面を示す図、（２）は右側面図、（３）は背面側を示す図である。
【図６】一対のカムの詳細を示す図で、（１）は平面図、（２）は背面図である。
【図７】操作部材を示す図で、（１）は正面図、（２）は左側面図である。
【図８】携帯器具に固定するスタッド状体を示す図であり、（１）は正面図、（２）左側面図である。
【図９】本発明の携帯器具用ホルダーをベルトに取付けた状態の側面図である。
【符号の説明】
１　携帯電話機（携帯器具）
２　スタッド状体
２ｈ　ヘッド部
２ｎ　首部
３　固定盤
Ｈ　携帯器具用ホルダー
４　基盤
５　正面板
ｇ　カム隙間
Ｇ１　Ｕ字状の凹部
Ｇ２・Ｇ２　傾斜ガイド
Ｃ１・Ｃ２　カム
Ｓ１・Ｓ２　圧縮コイルスプリング
６　カム操作部材
７　裏蓋
８　開閉板
１０　窓孔
１１ａ・１１ｂ　傾斜面
１２ａ・１２ｂ　突起部
【図１】
2004056686.tif 000003
【図２】
2004056686.tif 000004
【図３】
2004056686.tif 000005
【図４】
2004056686.tif 000006
【図５】
2004056686.tif 000007
【図６】
2004056686.tif 000008
【図７】
2004056686.tif 000009
【図８】
2004056686.tif 000010
【図９】
2004056686.tif 000011